(57)【特許請求の範囲】
【請求項１】
住宅の基礎に設けられたアンカーボルトに接合される壁パネルであって
前記壁パネルは、縦桟材と、横桟材とが矩形枠状に組み立てられた枠体と、前記枠体の表裏面うち、少なくとも一面に貼着された面材と、を含み、前記壁パネル下部の前記面材の強度が前記壁パネル上部の前記面材の強度よりも高くなっていることを特徴とする壁パネル。
【請求項２】
住宅の基礎に設けられたアンカーボルトに接合される壁パネルであって、
前記壁パネルは、縦桟材と、横桟材とが矩形枠状に組み立てられた枠体と、前記枠体の表裏面うち、少なくとも一面に貼着された面材と、を含み、前記壁パネル下部の前記面材と、前記横桟材及び前記縦桟材との貼着強度が、前記壁パネル上部の前記面材と、前記横桟材及び前記縦桟材との貼着強度よりも高くなっていることを特徴とする壁パネル。
【請求項３】
住宅の基礎に設けられたアンカーボルトに接合される壁パネルであって、
前記壁パネルは、縦桟材と、横桟材とが矩形枠状に組み立てられた枠体と、前記枠体の表裏面うち、少なくとも一面に貼着された面材と、を含み、前記枠体と前記面材との貼着は、少なくとも前記面材を貫通して前記枠体を構成する前記縦桟材及び前記横桟材に打ち込まれる金物によって行われ、少なくとも前記アンカーボルトと接合される前記横桟材と前記面材とを貼着する金物の打ち込み間隔が、他の前記横桟材及び前記縦桟材と前記面材とを貼着する金物の打ち込み間隔よりも密であることを特徴とする壁パネル。
【請求項４】
住宅の基礎に設けられたアンカーボルトに接合される壁パネルであって、
前記壁パネルは、縦桟材と、横桟材とが矩形枠状に組み立てられた枠体と、前記枠体の表裏面うち、少なくとも一面に貼着された面材と、を含み、前記アンカーボルトと接合される前記横桟材の強度が前記壁パネル上部の前記横桟材の強度よりも高くなっていることを特徴とする壁パネル。
【請求項５】
住宅の基礎に設けられたアンカーボルトに接合される壁パネルであって、
前記壁パネルは、縦桟材と、横桟材とが矩形枠状に組み立てられた枠体と、前記枠体の表裏面うち、少なくとも一面に貼着された面材と、前記壁パネル下部における前記枠体の角部の外側に設けられ、前記横桟材と前記縦桟材とに跨って固定された補強金物と、を含んでなることを特徴とする壁パネル。
【請求項６】
前記横桟材及び前記縦桟材は、前記補強金物が納まる断面が凹状の補強金物収納部を備えるとともに、前記補強金物収納部の深さは、前記補強金物の厚み以上となっていることを特徴とする請求項５記載の壁パネル。
【請求項７】
前記壁パネル下部の前記横桟材と前記縦桟材との接合部の強度が前記壁パネル上部の前記横桟材と前記縦桟材との接合部の強度よりも高くなっていることを特徴とする請求項１〜６の何れかに記載の壁パネル。
【発明の詳細な説明】
【０００１】
【発明の属する技術分野】
本発明は、住宅建築におけるパネル工法において、基礎に設けられる壁パネルに関する。
【０００２】
【背景の技術】
近年、住宅の構築についてはその工業化が進み、たとえば壁や床、屋根といった構成要素を予め工場にて組み立てることにより、住宅を構築するといったパネル工法が一部に採用されている。このようなパネル工法に用いられるパネルとして、例えば、図５又は図６に示すような壁パネルがある。図５又は図６に示す壁パネル１００は、例えば、縦桟材１０１と横桟材１０２とが矩形枠状に組み立てられるとともに、この矩形枠の内部に補強桟材１０３が縦横に組まれて枠体とされ、さらにこの枠体内にグラスウール等の断熱材１０４が充填された状態で枠体の表裏面に合板等の面材１０５が貼着されたものが一般的に知られている。
【０００３】
前記壁パネル１００を布基礎等の基礎１１０に接合するには、基礎１１０内にアンカーボルト１１１をその上端部が基礎１１０の上面から突出するようにして埋設し、この基礎１１０の上面に台輪１１２を載せ、更にその上面の外側半分に半土台１１３を載置し、この半土台１１３と床パネル１２０の上に壁パネル１００を載置する。
前記床パネル１２０と半土台１１３には、その接合面に横断面半円状の切欠きが形成されており、床パネル１２０と半土台１１３とを接合した際に前記切欠きによって形成される孔にアンカーボルト１１１が挿通され、さらにこのアンカーボルト１１１が壁パネル下部１００ａの横桟材１０２に形成された孔に挿通され、このアンカーボルト１１１にナット１１４を座金１１５を介して締め付けることによって、壁パネル１００が基礎１１０に前記床パネル１２０と半土台１１３を挟み付ける状態で接合される（特開平８−３０２８６３）。
【０００４】
そして、前記パネル工法では、柱などを設けず、前記壁パネル１００を耐力壁とし、所定の計算に基づいた耐力壁構造とすることにより、通常レベルの地震に対しても十分な強度を持つように設計されている。
【０００５】
【発明が解決しようとする課題】
ところで、近年、ロサンゼルス大地震、或いは阪神淡路大震災のような大地震が相次ぎ、より耐震性能に優れた住宅が望まれている。
より耐震性能に優れた住宅にするためには、住宅を構成する各部材の強度を従来よりも高めることがよいことは明らかであるが、そうすることによるコストアップが大きいこともまた明らかである。従って、さほどコストアップすることなく、耐震性能を従来よりも高めたいというニーズが生じている。
【０００６】
このようなニーズに応えるため、従来から大地震にも十分耐えうることが認められているパネル工法による住宅を用いて、極限状態の地震により住宅がどのように破壊されるかを確認する目的で実物大の住宅にて地震レベルを徐々に上げて破壊が確認されるまでの耐震実験を行ったところ、２階部壁パネルよりも１階部の壁パネルの破損が酷く、特に、基礎との接合部が著しく破損していることが分かった。具体的には、
▲１▼アンカーボルトと接合される下横桟材と縦桟材の接合部が分断された。
▲２▼アンカーボルトと接合される下横桟材に貼着された面材が剥がれた。
▲３▼アンカーボルトと接合される下横桟材が長手方向に割れた。
等の最終破壊状況が確認された。
【０００７】
本発明は、上記事情に鑑みなされたものであって、パネル工法における壁パネルと基礎との接合部の耐震性を低コストで向上させた壁パネルを提供することを目的とする。
【０００８】
【課題を解決するための手段】
上記課題を解決するため、請求項１記載の発明は、例えば、図１〜図４に示すように、住宅の基礎に設けられたアンカーボルトに接合される壁パネル１であって、前記壁パネル１は、縦桟材２，２と、横桟材３（３１，３２）とが矩形枠状に組み立てられた枠体１０と、前記枠体１０の表裏面うち、少なくとも一面に貼着された面材５（５１，５２）と、を含み、前記壁パネル下部１０ｂの前記面材５２の強度が前記壁パネル上部１０ａの前記面材５１の強度よりも高くなっていることを特徴としている。
【００１２】
この場合の強度が高いとは、主に横からの地震のゆれに対抗する面内せん断力であるが、曲げや引張力も含んだ複合的な力に耐することを意味する。
請求項１記載の発明によれば、壁パネル下部１０ｂの面材５２の強度が壁パネル上部１０ａの面材５１の強度よりも高くされているので、例えば、耐震性能を向上させるために壁パネル１の強度を高くする場合に、破損の大きい壁パネル下部１０ｂの面材５２の強度のみを高くするようにすれば、面材５全体の強度を高くするよりも低コストで所定の耐震性能をもつ壁パネル１にすることができる。即ち、壁パネル下部１０ｂの面材５２の強度のみを高くすることにより、強地震時における壁パネル下部１０ｂの破損を少ないコストアップでより効果的に妨げることが出来る。
【００１３】
ここで、面材５としては、例えば、構造用合板、パーティクルボード、構造用パネル、ハードボード、硬質木片セメント板、石膏ボード等などを用いるが、面材５の強度を高くするため、例えば、強化プラスチックシートや鉄板等を一部に使用してもよい。
【００１４】
請求項２記載の発明は、住宅の基礎に設けられたアンカーボルトに接合される壁パネル１であって、前記壁パネル１は、縦桟材２，２と、横桟材３（３１，３２）とが矩形枠状に組み立てられた枠体１０と、前記枠体１０の表裏面うち、少なくとも一面に貼着された面材５（５１，５２）と、を含み、前記壁パネル下部１０ｂの前記面材５２と、前記縦桟材２，２及び前記横桟材３２との貼着強度が、前記壁パネル上部１０ａの前記面材５（５１，５２）と、前記縦桟材２，２及び前記横桟材３１との貼着強度よりも高くなっていることを特徴としている。
【００１５】
請求項２記載の発明によれば、壁パネル下部１０ｂの面材５２と、縦桟材２，２及び横桟材３２との貼着強度が、壁パネル上部１０ａの面材５１と、縦桟材２，２及び横桟材３１との貼着強度よりも高くされているので、例えば、耐震性能を向上させるために壁パネル１の強度を高くする場合に、破損の大きい壁パネル下部１０ｂの面材５２と、縦桟材２，２及び横桟材３２との貼着強度のみを高くするようにすれば、壁パネル１全体の面材５と、縦桟材２，２及び横桟材３（３１，３２）との貼着強度を高くするよりも低コストで所定の耐震性能をもつ壁パネル１にすることができる。即ち、壁パネル下部１０ｂの面材５２と、縦桟材２，２及び横桟材３２との貼着強度のみを高くすることにより、強地震時における壁パネル下部１０ｂの面材５２と、縦桟材２，２と横桟材３２との剥離をより効果的に妨げることが出来る。
【００１６】
ここで、面材５と、縦桟材２，２及び横桟材３、３との貼着は、例えば、接着剤又は釘打ちやスティプル等の金具による固定の何れか又は両方にて行う。また、壁パネル下部１０ｂの貼着強度を高める方法としては、例えば、接着剤の接着面積をより広い範囲にしたり、或いは釘打ち６…等の本数を増やすことにより行う。
【００１７】
請求項３記載の発明は、住宅の基礎に設けられたアンカーボルトに接合される壁パネル１であって、前記壁パネルは、縦桟材２，２と、横桟材３（３１、３２）とが矩形枠状に組み立てられた枠体１０と、前記枠体１０の表裏面うち、少なくとも一面に貼着された面材５（５１、５２）と、を含み、前記枠体１０と前記面材５との貼着は、少なくとも前記面材５を貫通して前記枠体１０を構成する前記縦桟材２，２及び前記横桟材３に打ち込まれる金物６（例えば、釘）によって行われ、少なくとも前記アンカーボルトと接合される前記横桟材３２と前記面材５とを貼着する金物６の打ち込み間隔が、他の前記横桟材３１及び前記縦桟材２と前記面材５とを貼着する金物６の打ち込み間隔よりも密であることを特徴としている。
【００１８】
請求項３記載の発明によれば、枠体１０と面材５との貼着は、少なくとも面材５を貫通して枠体１０を構成する縦桟材２、２及び横桟材３、３に打ち込まれる金物６によって行われ、少なくともアンカーボルトと接合される横桟材３２と面材５とを貼着する金物６…の打ち込み間隔が、他の横桟材３１及び前記縦桟材２、２と前記面材５とを貼着する金物６の打ち込み間隔よりも密とされているので、例えば、耐震性能を向上させるために壁パネル１の強度を高くする場合に、少なくとも破損の大きいアンカーボルトと接合される横桟材３２と面材５との強度を高くすることが出来ることとなって、全ての横桟材３（３１，３２）の強度を高くするよりも低コストで所定の耐震性能をもつ壁パネル１にすることができる。即ち、アンカーボルトに接合される横桟材３２と面材５とを貼着させる金物６の間隔が密とされているので、少なくともこの部分の強度を高くすることが出来て、強地震時における面材５の横桟材３２からの剥離をより効果的に妨げることが出来る。ここで、金物６…の打ち込み間隔は、アンカーボルトと接合される横桟材３２だけでなく、縦桟材２、２の一部或いは全部を密にするようにしてもよい。
【００１９】
請求項４記載の発明は、住宅の基礎に設けられたアンカーボルトに接合される壁パネル１であって、前記壁パネル１は、縦桟材２，２と、横桟材３（３１，３２）とが矩形枠状に組み立てられた枠体１０と、前記枠体１０の表裏面うち、少なくとも一面に貼着された面材５（５１，５２）と、を含み、前記アンカーボルトと接合される前記横桟材３２の強度が前記壁パネル上部１０ａの前記横桟材３１の強度よりも高くなっていることを特徴としている。
【００２０】
請求項４記載の発明によれば、アンカーボルトと接合される横桟材３２の強度が壁パネル上部１０ａの横桟材３１の強度よりも高くされているので、例えば、耐震性能を向上させるために壁パネル１の強度を高くする場合に、破損の大きいアンカーボルトと接合される横桟材３２の強度のみを高くするようにすれば、全ての横桟材３（３１，３２）の強度を高くするよりも低コストで所定の耐震性能をもつ壁パネル１にすることができる。即ち、アンカーボルトに接合される横桟材３２の強度のみを高くすることにより、強地震時における横桟材３２の長手方向の割れをより効果的に妨げることが出来る。
【００２１】
ここで、横桟材３としては、通常、木材を使用するが、アンカーボルトに接合される横桟材３２には、例えば、通常のものより厚みを増したり、通常の桟材を２段に重ねたり、集成材を使用することにより強度を高めたものを使用する。或いは、鉄製の角パイプや、木材と鉄板を貼り合わせたものなどを使用する等、強度が他の桟材よりも相対的に高くなればよい。
【００２２】
請求項５記載の発明は、住宅の基礎に設けられたアンカーボルトに接合される壁パネル１であって、前記壁パネル１は、縦桟材２，２と、横桟材３（３１，３２）とが矩形枠状に組み立てられた枠体１０と、前記枠体１０の表裏面うち、少なくとも一面に貼着された面材５（５１，５２）と、前記壁パネル下部１０ｂにおける前記枠体１０の角部１１，１１の外側に設けられ、前記縦桟材２，２と前記横桟材３２とに跨って固定された補強金物２０，２０と、を含んでなることを特徴としている。
【００２３】
請求項５記載の発明によれば、壁パネル下部１０ｂにおける枠体１０の角部１１，１１の外側に設けられた補強金物２０，２０が、縦桟材２，２と横桟材３２とに跨って固定されるので、壁パネル下部１０ｂの縦桟材２，２と横桟材３２の接合部の強度がより高くなることとなって、強地震時における壁パネル下部１０ｂの縦桟材２，２と横桟材３２との剥離をより効果的に妨げることが出来る。また、例えば、耐震性能を向上させるために壁パネル１の強度を高くする場合に、破損の大きい壁パネル下部１０ｂの縦桟材２，２と横桟材３２との接合部にのみ補強金物２０，２０を設けるようにすれば、全ての縦桟材２，２と横桟材３（３１，３２）との接合部に補強金物２０，２０を設けるよりも低コストで所定の耐震性能をもつ壁パネル１にすることができる。また、補強金物２０，２０は、角部１１，１１の外側に固定されるので、例えば、補強金物２０，２０を角部１１，１１の内側に取り付けるものに比べて、補強金物２０，２０を取り付ける時期的制約が少なくなることとなって、作業がし易くなるとともに、補強金物２０，２０を付け忘れる心配もない。
【００２４】
ここで、補強金物２０，２０は、補強される縦桟材２，２及び横桟材３（３１，３２）の厚みよりも小さくすることが望ましく、補強金物２０，２０の貼着には、接着剤、或いは釘６等を用いる。
【００２５】
請求項６記載の発明は、請求項５記載の壁パネル１において、前記縦桟材２，２及び前記横桟材３２は、前記補強金物２０，２０が納まる断面が凹状の補強金物収納部２ａ，３２ｂを備えるとともに、前記補強金物収納部２ａ，３２ｂの深さは、前記補強金物２０，２０の厚み以上となっていることを特徴としている。
【００２６】
請求項６記載の発明によれば、補強金物２０，２０の厚み以上の深さで断面が凹状の補強金物収納部２ａ，３２ｂに補強金物２０，２０が納められるので、補強金物２０，２０が縦桟材２，２や横桟材３２の表面よりも突出することがないこととなって、壁パネル１を基礎に組み立てたり、隣接する壁パネル１を突き合わせる際に、補強金物２０，２０が邪魔になることがない。
【００２８】
請求項７記載の発明は、請求項１〜６の何れかに記載の壁パネル１において、前記壁パネル１は、縦桟材２，２と、横桟材３（３１，３２）とが矩形枠状に組み立てられた枠体１０と、前記枠体１０の表裏面うち、少なくとも一面に貼着された面材５（５１，５２）と、を含み、前記壁パネル下部１０ｂの前記縦桟材２，２と前記横桟材３２との接合部の強度が前記壁パネル上部１０ａの前記縦桟材２，２と前記横桟材３１との接合部の強度よりも高くなっていることを特徴としている。
【００２９】
請求項７記載の発明によれば、壁パネル下部１０ｂの縦桟材２，２と横桟材３２との接合部の強度が壁パネル上部１０ａの縦桟材２，２と横桟材３１との接合部の強度よりも高くされているので、例えば、耐震性能を向上させるために壁パネル１の強度を高くする場合に、破損の大きい壁パネル下部１０ｂの縦桟材２，２と横桟材３２との接合部の強度のみを高くするようにすれば、全ての縦桟材２，２と横桟材３（３１，３２）との接合部の強度を高くするよりも低コストで所定の耐震性能をもつ壁パネル１にすることができる。即ち、壁パネル下部１０ｂの縦桟材２，２と横桟材３２との接合部の強度のみを高くすることにより、強地震時における壁パネル下部１０ｂの縦桟材２，２と横桟材３２との接合部の剥離を少ないコストアップでより効果的に妨げることが出来る。
ここで、壁パネル下部１０ｂの縦桟材２，２と横桟材３２との接合部は、通常、接着剤にて行うが、壁パネル下部１０ｂの縦桟材２，２と横桟材３２との接合部の強度を高くするために、例えば、釘打ちしたり、或いは補強用金物２０を接合部に貼着させたものであってもよい。
【００３０】
【発明の実施の形態】
以下、図を参照して本発明に係る壁パネルの実施の形態を詳細に説明する。
図１は、本発明に係る壁パネルの内部構造を示した斜視図である。
図１に示した本発明に係る壁パネル１は、縦桟材２，２と、横桟材３，３とを備え、前記縦桟材２，２と前記横桟材３，３が矩形状に組み立てられて枠体１０が形成され、更にこの矩形状の枠体１０の内部に補強桟材４が縦横に組まれている。そしてこの枠体１０の表裏面には、面材５，５が貼着されている。
【００３１】
前記縦桟材２は、例えば、木製の角片から出来ている。
前記横桟材３のうち、壁パネル上部１０ａ（２階側）の上横桟材３１は、例えば、木製の角片から出来ており、壁パネル下部１０ｂ（基礎側）の下横桟材３２は、アンカーボルト（図示省略）が挿入されるボルト孔３２ａ，３２ａを備え、例えば、木製の角片の上下の面に、鉄板（図示省略）がサンドされた構造となっていて、壁パネル下部１０ｂの下横桟材３２の強度が壁パネル上部１０ａの上横桟材３１の強度よりも高められている。
【００３２】
ここで、前記壁パネル下部１０ｂの下横桟材３２の強度を高める手段は、上記に限らず、例えば、下横桟材３２を鉄パイプにする等であってもよい。また、前記壁パネル下部１０ｂの下横桟材３２の強度どの程度にするかは、設計事項であり、適宜変更可能である。
【００３３】
前記面材５は、図２に示すように、壁パネル上部１０ａの上面材５１と壁パネル下部１０ｂの下面材５２の２つに分割されている。
前記上面材５１は、例えば、木板を重ねた合板から出来ており、前記下面材５２は、図示はしないが、例えば、木板と鉄板を重ねた合板からできている。従って、前記下面材５２の強度が前記上面材５１の強度よりも高められている。
【００３４】
ここで、前記下面材５２の強度を高める手段は、上記手段に限らず、例えば、強化プラスチック板などを使用してもよい。また、前記下面材５２の強度をどの程度にするかは、設計事項であり、適宜変更可能である。また、上面材５１と下面材５２との割合も必ずしも半々にする必要はない。
【００３５】
前記面材５の前記縦桟材２、前記横桟材３及び前記補強桟材４への貼着は、所定の接着剤で貼り合わせた後、前記面材５の上から、前記縦桟材２、前記横桟材３及び前記補強桟材４まで達するように前記面材５を貫通させて釘６…を打つことにより行われる。
また、前記上面材５１に打ち込まれる釘６…の間隔より、前記下面材５１に打ち込まれる釘６…の間隔の方が密になっていて、前記下面材５２と、前記縦桟材２，２及び前記下横桟材３２との貼着強度が、前記上面材５１と、前記縦桟材２，２及び前記上横桟材３１との貼着強度よりも高められている。
【００３６】
ここで、前記下面材５２と、前記縦桟材２、２と前記下横桟材３２との貼着強度を高める手段は、上記手段に限らず、例えば、接着剤を塗る領域をより広くする等してもよい。また、前記下面材５２と、前記縦桟材２、２と前記下横桟材３２との貼着強度をどの程度にするかは、設計事項であり、適宜変更可能である。
【００３７】
また、図３に示すように、前記枠体１０の前記壁パネル下部１０ｂ側の角部１１，１１には、前記縦桟材２，２と前記下横桟材３２を跨ぐようにしてＬ字型の補強金物２０，２０が固定されている。前記補強金物２０，２０の固定は、釘２１…等によって行われる。
【００３８】
前記補強金物２０，２０は、図４に示すように、予め、前記角部１１，１１の前記横桟材２，２及び壁パネル下部１０ｂの前記縦桟材３２に設けられた凹状の補強金物収納部２ａ，３２ｂに納められるようになっている。
前記補強金物収納部２ａ，３２ｂの開口部は、前記補強金物２０，２０の幅、長さよりも若干大きく設けられていて、前記補強金物２０，２０を納めやすくなっている。
【００３９】
また、前記補強金物収納部２ａ，３２ｂの深さも前記補強金物２０，２０の厚みよりも深くなっている。従って、壁パネル１同士を組み立てた場合でも、前記補強金物２０，２０が出っ張って邪魔になることがない。
また、前記補強金物２０，２０は、角部１１，１１の外側に固定されるので、例えば、補強金物２０，２０を角部１１，１１の内側に取り付けるものに比べて、取付時期が、例えば、枠体１０の完成後でもよいし、或いは面材５，５を貼着させた後でもよく、補強金物２０，２０を取り付ける時期的制約が少なくなることとなって、作業がし易くなるとともに、補強金物２０，２０を付け忘れる心配もない。
【００４０】
以上説明した本発明に係る壁パネル１によれば、アンカーボルト（図示省略）に接合される壁パネル下部１０ｂの強度が、前記壁パネル上部１０ａの強度よりも高くされている。
具体的には、壁パネル下部１０ｂの下面材５２の強度が、一部に鉄板（図示省略）を用いることにより、壁パネル上部１０ａの上面材５１の強度よりも高くされいる。また、壁パネル下部１０ｂの下面材５２と、縦桟材２及び下横桟材３２との貼着強度が、釘６…の打ち込み間隔を密にすることにより、壁パネル上部１０ａの上面材５１と、縦桟材２及び上横桟材３１との貼着強度よりも高くされている。
また、アンカーボルト（図示省略）と接合される下横桟材３２の強度が、下横桟材３２を鉄板（図示省略）でサンドすることにより、壁パネル上部１０ａの上横桟材３１の強度よりも高くされている。
更に、壁パネル下部１０ｂの縦桟材２と下横桟材３２との接合部の強度が、補強金物２０によって、壁パネル上部１０ａの縦桟材２と上横桟材３１との接合部の強度よりも高くされている。
従って、壁パネル１全体の強度を高くするよりも、強地震による破損が大きい壁パネル下部１０ｂのみ強度を高くすることにより、低コストで所定の耐震性能を持つ壁パネルにすることができる。
【００４１】
なお、上記実施の形態に示した前記壁パネル下部１０ｂの強度を高める手段のうち何れか一つの実施でもよく、また、いくつか任意に組み合わせての実施でもよい。
【００４２】
【発明の効果】
請求項１記載の発明によれば、壁パネル下部１０ｂの面材５２の強度が壁パネル上部１０ａの面材５１の強度よりも高くされているので、例えば、耐震性能を向上させるために壁パネル１の強度を高くする場合に、破損の大きい壁パネル下部１０ｂの面材５２の強度のみを高くするようにすれば、面材５全体の強度を高くするよりも低コストで所定の耐震性能をもつ壁パネル１にすることができる。即ち、壁パネル下部１０ｂの面材５２の強度のみを高くすることにより、強地震時における壁パネル下部１０ｂの破損を少ないコストアップでより効果的に妨げることが出来る。
【００４３】
請求項２記載の発明によれば、壁パネル下部１０ｂの面材５２と、縦桟材２，２及び横桟材３２との貼着強度が、壁パネル上部１０ａの面材５１と、縦桟材２，２及び横桟材３１との貼着強度よりも高くされているので、例えば、耐震性能を向上させるために壁パネル１の強度を高くする場合に、破損の大きい壁パネル下部１０ｂの面材５２と、縦桟材２，２及び横桟材３２との貼着強度のみを高くするようにすれば、壁パネル１全体の面材５と、縦桟材２，２及び横桟材３（３１，３２）との貼着強度を高くするよりも低コストで所定の耐震性能をもつ壁パネル１にすることができる。即ち、壁パネル下部１０ｂの面材５２と、縦桟材２，２及び横桟材３２との貼着強度のみを高くすることにより、強地震時における壁パネル下部１０ｂの面材５２と、縦桟材２，２と横桟材３２との剥離をより効果的に妨げることが出来る。
【００４４】
請求項３記載の発明によれば、枠体１０と面材５との貼着は、少なくとも面材５を貫通して枠体１０を構成する縦桟材２、２及び横桟材３、３に打ち込まれる金物６によって行われ、少なくともアンカーボルトと接合される横桟材３２と面材５とを貼着する金物６…の打ち込み間隔が、他の横桟材３１及び前記縦桟材２、２と前記面材５とを貼着する金物６の打ち込み間隔よりも密とされているので、例えば、耐震性能を向上させるために壁パネル１の強度を高くする場合に、少なくとも破損の大きいアンカーボルトと接合される横桟材３２と面材５との強度を高くすることが出来ることとなって、全ての横桟材３（３１，３２）の強度を高くするよりも低コストで所定の耐震性能をもつ壁パネル１にすることができる。即ち、アンカーボルトに接合される横桟材３２と面材５とを貼着させる金物６の間隔が密とされているので、少なくともこの部分の強度を高くすることが出来て、強地震時における面材５の横桟材３２からの剥離をより効果的に妨げることが出来る。
【００４５】
請求項４記載の発明によれば、アンカーボルトと接合される横桟材３２の強度が壁パネル上部１０ａの横桟材３１の強度よりも高くされているので、例えば、耐震性能を向上させるために壁パネル１の強度を高くする場合に、破損の大きいアンカーボルトと接合される横桟材３２の強度のみを高くするようにすれば、全ての横桟材３（３１，３２）の強度を高くするよりも低コストで所定の耐震性能をもつ壁パネル１にすることができる。即ち、アンカーボルトに接合される横桟材３２の強度のみを高くすることにより、強地震時における横桟材３２の長手方向の割れをより効果的に妨げることが出来る。
【００４６】
請求項５記載の発明によれば、壁パネル下部１０ｂにおける枠体１０の角部１１，１１の外側に設けられた補強金物２０，２０が、縦桟材２，２と横桟材３２とに跨って固定されるので、壁パネル下部１０ｂの縦桟材２，２と横桟材３２の接合部の強度がより高くなることとなって、強地震時における壁パネル下部１０ｂの縦桟材２，２と横桟材３２との剥離をより効果的に妨げることが出来る。また、例えば、耐震性能を向上させるために壁パネル１の強度を高くする場合に、破損の大きい壁パネル下部１０ｂの縦桟材２，２と横桟材３２との接合部にのみ補強金物２０，２０を設けるようにすれば、全ての縦桟材２，２と横桟材３（３１，３２）との接合部に補強金物２０，２０を設けるよりも低コストで所定の耐震性能をもつ壁パネル１にすることができる。また、補強金物２０，２０は、角部１１，１１の外側に固定されるので、例えば、補強金物２０，２０を角部１１，１１の内側に取り付けるものに比べて、補強金物２０，２０を取り付ける時期的制約が少なくなることとなって、作業がし易くなるとともに、補強金物２０，２０を付け忘れる心配もない。
【００４７】
請求項６記載の発明によれば、補強金物２０，２０の厚み以上の深さで断面が凹状の補強金物収納部２ａ，３２ｂに補強金物２０，２０が納められるので、補強金物２０，２０が縦桟材２，２や横桟材３２の表面よりも突出することがないこととなって、壁パネル１を基礎に組み立てたり、隣接する壁パネル１を突き合わせる際に、補強金物２０，２０が邪魔になることがない。
【００４８】
請求項７記載の発明によれば、壁パネル下部１０ｂの縦桟材２，２と横桟材３２との接合部の強度が壁パネル上部１０ａの縦桟材２，２と横桟材３１との接合部の強度よりも高くされているので、例えば、耐震性能を向上させるために壁パネル１の強度を高くする場合に、破損の大きい壁パネル下部１０ｂの縦桟材２，２と横桟材３２との接合部の強度のみを高くするようにすれば、全ての縦桟材２，２と横桟材３（３１，３２）との接合部の強度を高くするよりも低コストで所定の耐震性能をもつ壁パネル１にすることができる。即ち、壁パネル下部１０ｂの縦桟材２，２と横桟材３２との接合部の強度のみを高くすることにより、強地震時における壁パネル下部１０ｂの縦桟材２，２と横桟材３２との接合部の剥離を少ないコストアップでより効果的に妨げることが出来る。
【図面の簡単な説明】
【図１】本発明に係る壁パネルの内部構造を示した斜視図である。
【図２】本発明に係る壁パネルの外観を示した斜視図である。
【図３】補強金物が固定された壁パネル下部の外観を示した斜視図である。
【図４】補強金物が固定された壁パネル下部の角部の断面図である。
【図５】従来の壁パネルと、この壁パネルと基礎との取付構造を示した斜視図である。
【図６】従来の壁パネルと基礎との取付構造を示した断面図である。
【符号の説明】
１                  壁パネル
２                  縦桟材
２ａ                補強金物収納部
３（３１、３２）    横桟材（上横桟材、下横桟材）
５（５１，５２）    縦桟材（上縦桟材、下縦桟材）
６                  釘（金物）
２０                  補強金物
３２ａ                補強金物収納部
【図１】
0003971836.tif 000002
【図２】
0003971836.tif 000003
【図３】
0003971836.tif 000004
【図４】
0003971836.tif 000005
【図５】
0003971836.tif 000006
【図６】
0003971836.tif 000007